(57)【要約】  複数のシステムを有する場合に、電池電圧への要求が最も低いシステムでも電池を使い切ることができる無線通信装置を提供することである。  複数の通信方式を用いて通信可能な無線通信装置１００であって、ＧＳＭの通信方式を利用して無線信号の通信を行うシステムＡ通信部、およびＵＭＴＳの通信方式を利用して無線信号の通信を行うシステムＢ通信部を含む複数の通信部と、複数の通信部へ供給する電源の電圧を所定の周期で検出する電源電圧検出部１９と、電源電圧と複数の前記通信方式毎の終止電圧とを比較し、比較の結果、電源電圧がＧＳＭ通信方式の終止電圧以下である場合にはシステムＡ通信部による通信を停止するよう制御し、電源電圧がＵＭＴＳの通信方式の終止電圧よりも大きい場合にはシステムＢ通信部による通信を継続するよう制御する電源制御部１６とを有する。
2007148391.tif 000002
【特許請求の範囲】
【請求項１】
複数の通信方式を用いて通信可能な無線通信装置であって、
前記第１の通信方式を利用して無線信号の通信を行う第１の通信部および前記第２の通信方式を利用して無線信号の通信を行う第２の通信部を含む複数の通信部と、
前記複数の通信方式毎に前記通信方式の終止電圧を記録する記憶部と、
前記複数の通信部へ供給する電源の電圧を所定の周期で検出する電源電圧検出部と、
前記電源電圧と前記通信方式毎の終止電圧とを比較する比較部と、
前記比較部による比較の結果、前記電源電圧が前記第１の通信方式の終止電圧以下である場合には前記第１の通信部による通信を停止するよう制御し、前記電源電圧が前記第２の通信方式の終止電圧よりも大きい場合には前記第２の通信部による通信を継続するよう制御する電源制御部と
を有する無線通信装置。
【請求項２】
請求項１に記載の無線通信装置であって、
前記電源制御部は、
前記比較部による比較の結果、前記電源電圧が前記第１の通信方式の終止電圧以下であり、かつ前記電源電圧が前記第２の通信方式の終止電圧より大きい場合には、前記第１の通信部による通信から前記第２の通信部による通信へ切り替える無線通信装置。
【請求項３】
複数の通信方式を用いて通信可能な無線通信方法であって、
前記第１の通信方式を利用して無線信号の通信が行われる第１の通信ステップおよび前記第２の通信方式を利用して無線信号の通信が行われる第２の通信ステップを含む複数のステップと、
前記複数の通信方式毎に前記通信方式の終止電圧が記録されるステップと、
前記複数の通信部へ供給する電源の電圧が所定の周期で検出されるステップと、
前記電源電圧と前記通信方式毎の終止電圧とが比較される比較ステップと、
前記比較ステップにおける比較の結果、前記電源電圧が前記第１の通信方式の終止電圧以下である場合には前記第１の通信ステップにおける通信が停止されるよう制御され、前記電源電圧が前記第２の通信方式の終止電圧よりも大きい場合には前記第２の通信ステップにおける通信が継続されるよう制御される電源制御ステップと
を有する無線通信方法。
【請求項４】
請求項３に記載の無線通信方法であって、
前記電源制御ステップは、
前記比較ステップにおける比較の結果、前記電源電圧が前記第１の通信方式の終止電圧以下であり、かつ前記電源電圧が前記第２の通信方式の終止電圧より大きい場合には、前記第１の通信ステップにおける通信から前記第２の通信ステップによる通信へ切り替えられる無線通信方法。
【発明の詳細な説明】
【技術分野】
【０００１】
本発明は、複数の通信方式を用いて通信可能な無線通信装置および無線通信方法に関する。
【背景技術】
【０００２】
携帯電話を代表とする移動体通信システムにおいては、移動体通信の発展と共に様々な変調方式が存在しており、現在では利用者数の増大や利便性の向上ため複数の変調方式が利用できるマルチシステム端末の開発が進められている。例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ネットワークとＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワークに接続可能であり、ＧＳＭネットワークとＵＭＴＳネットワークをハンドオーバーするＵＭＴＳ／ＧＳＭデュアルモード端末がある。これらマルチモード端末の待ち受け・通話時間の向上に向けて、様々な方法が考案されている。【０００３】
例えば、電池残量および通信速度に基づいて複数の通信システムの待ち受け時間の長短を判断して通信システムを適宜切り替える方法が提案されている。（例えば、特許文献１参照）。また、各基地局からの信号の電界強度を参照して、自身の送信にかかる消費電力が最も少なくて済む基地局を選択してハンドオーバーする方法が提案されている（例えば、特許文献２参照）。
【特許文献１】特開２００４−２３５８６３号公報
【特許文献２】特開２００４−２８９７５６号公報
【発明の開示】
【発明が解決しようとする課題】
【０００４】
しかしながら、従来の技術においては、各システムに必要とされる電池電圧に対する考慮がなされておらず、電池電圧への要求が高いシステムにおける終止電圧により端末の終止電圧が決定されていた。そのため、図２に示すように、電池電圧への要求が高いシステムAにより終止電圧を決定した場合、電池電圧への要求が低いシステムBにおいては電池を使い切れずに終了してしまうという事情があった。図２は一般的な電池の放電特性図である。【０００５】
例えばＵＭＴＳとＧＳＭのデュアルモード端末を考えた場合、一般的にＧＳＭで使用されるＰｏｗｅｒ  Ａｍｐ（ＰＡ）の方がＵＭＴＳで使用されるＰＡよりも必要とされる電圧が高く、それ故ＧＳＭの終止電圧はＵＭＴＳに比べ高く設定される。従って、ＧＳＭを基に終止電圧を設定した場合、まだＵＭＴＳでは動作できるにも関わらず終止電圧となり電池を使い切れずに終了してしまうこととなる。【０００６】
本発明は、上記事情を鑑みてなされたものであって、複数のシステムを有する場合に、電池電圧への要求が最も低いシステムでも電池を使い切ることができる無線通信装置、および無線通信方法を提供することを目的とする。
【課題を解決するための手段】
【０００７】
上記目的を達成するために、本発明の第１の無線通信装置は、複数の通信方式を用いて通信可能な無線通信装置であって、前記第１の通信方式を利用して無線信号の通信を行う第１の通信部および前記第２の通信方式を利用して無線信号の通信を行う第２の通信部を含む複数の通信部と、前記複数の通信方式毎に前記通信方式の終止電圧を記録する記憶部と、前記複数の通信部へ供給する電源の電圧を所定の周期で検出する電源電圧検出部と、前記電源電圧と前記通信方式毎の終止電圧とを比較する比較部と、前記比較部による比較の結果、前記電源電圧が前記第１の通信方式の終止電圧以下である場合には前記第１の通信部による通信を停止するよう制御し、前記電源電圧が前記第２の通信方式の終止電圧よりも大きい場合には前記第２の通信部による通信を継続するよう制御する電源制御部とを有する構成としている。【０００８】
この構成により、電池電圧が終止電圧以下になったシステムへの電源供給を遮断し間欠受信動作を停止させることで待ち受け時間の増加をはかり、これにより電池電圧への要求が最も低いシステムでも電池を使い切ることが可能となる。【０００９】
また、本発明の第２の無線通信装置は、前記電源制御部が、前記比較部による比較の結果、前記電源電圧が前記第１の通信方式の終止電圧以下であり、かつ前記電源電圧が前記第２の通信方式の終止電圧より大きい場合には、前記第１の通信部による通信から前記第２の通信部による通信へ切り替える構成としている。【００１０】
この構成により、通話中に電池電圧が終止電圧以下になったシステムから他のシステムへと切り替えることで通話時間の増加をはかり、これにより電池電圧への要求が最も低いシステムでも電池を使い切ることが可能となる。【００１１】
また、本発明の第１の無線通信方法は、複数の通信方式を用いて通信可能な無線通信方法であって、前記第１の通信方式を利用して無線信号の通信が行われる第１の通信ステップおよび前記第２の通信方式を利用して無線信号の通信が行われる第２の通信ステップを含む複数のステップと、前記複数の通信方式毎に前記通信方式の終止電圧が記録されるステップと、前記複数の通信部へ供給する電源の電圧が所定の周期で検出されるステップと、前記電源電圧と前記通信方式毎の終止電圧とが比較される比較ステップと、前記比較ステップにおける比較の結果、前記電源電圧が前記第１の通信方式の終止電圧以下である場合には前記第１の通信ステップにおける通信が停止されるよう制御され、前記電源電圧が前記第２の通信方式の終止電圧よりも大きい場合には前記第２の通信ステップにおける通信が継続されるよう制御される電源制御ステップとを有する方法としている。【００１２】
この方法により、電池電圧が終止電圧以下になったシステムへの電源供給を遮断し間欠受信動作を停止させることで待ち受け時間の増加をはかり、これにより電池電圧への要求が最も低いシステムでも電池を使い切ることが可能となる。【００１３】
また、本発明の第２の無線通信方法は、前記電源制御ステップが、前記比較ステップにおける比較の結果、前記電源電圧が前記第１の通信方式の終止電圧以下であり、かつ前記電源電圧が前記第２の通信方式の終止電圧より大きい場合には、前記第１の通信ステップにおける通信から前記第２の通信ステップによる通信へ切り替えられる方法としている。【００１４】
この方法により、通話中に電池電圧が終止電圧以下になったシステムから他のシステムへと切り替えることで通話時間の増加をはかり、これにより電池電圧への要求が最も低いシステムでも電池を使い切ることが可能となる。
【発明の効果】
【００１５】
本発明によれば、複数のシステムを有する場合に、電池電圧への要求が最も低いシステムでも電池を使い切ることができる無線通信装置および無線通信方法を提供することができる。【００１６】
また、システム毎に最適な終止電圧を設定し電池を無駄なく使用できる上に、終止電圧になったシステムへの電源供給を遮断することで低消費電力化をはかり待ち受け時間の増加をはかることができる。【００１７】
また、通話中に終止電圧となった場合において、他のシステムが終止電圧にはなっておらずかつ通信可能な場合には、他のシステムへハンドオーバーすることで通話を続けることが可能となる。
【図面の簡単な説明】
【００１８】
【図１】本発明の実施形態における無線通信装置を示すブロック図
【図２】一般的な電池の放電特性例
【図３】本発明の実施形態における無線通信装置の通話時の動作フロー図
【図４】本発明の実施形態における無線通信装置の待ち受け時の動作フロー図
【符号の説明】
【００１９】
１００  無線通信装置
１１  アンテナ
１２  システムA送受信部
１３  システムA制御部
１４  システムB送受信部
１５  システムB制御部
１６  電源制御部
１７  記憶部
１９  電池電圧検出部
２１  電池
【発明を実施するための最良の形態】
【００２０】
以下、図面を参照して本発明の実施形態を説明する。【００２１】
（実施形態）
図1は、本発明の実施形態に係る無線通信装置１００の構成例を示したブロック図である。無線通信装置１００は例えば２つのシステムを有するデュアルモード端末を想定しており、アンテナ１１、システムＡ送受信部１２、システムＡ制御部１３、システムＢ送受信部１４、システムＢ制御部１５、電源制御部１６、記憶部１７、電池電圧検出部１９、および電池２１を有する。尚、本実施形態においては、複数のシステムは終止電圧の異なるものを想定している。【００２２】
ここで、送受信部１２、１４および制御部１３、１５は複数の通信部の一部の一例である。電源制御部１６の一部は比較部、電源制御部の一例である。
【００２３】
システムＡ送受信部１２は、アンテナ１１を介して図示しない基地局からのシステムＡに対する無線信号の受信およびシステムＡから基地局に対する無線信号の送信を行う。システムＡ制御部１３は、システムＡ送受信部１２によって受信した無線信号の復調や送信信号の変調を行う。またシステムＡ制御部１３は電源制御部１６からの指示に基づいて、基地局とシステムＡ送受信部１２との間で通信を行うか否かをシステムＡ送受信部１２に通知する。【００２４】
システムＢ送受信部１４は、アンテナ１１を介して基地局からのシステムＢに対する無線信号の受信およびシステムＢから基地局に対する無線信号の送信を行う。システムＢ制御部１５は、システムB送受信部１４によって受信した無線信号の復調や送信信号の変調を行う。またシステムＢ制御部１５は電源制御部１６からの指示に基づいて、基地局とシステムＢ送受信部１４との間で通信を行うか否かをシステムＢ送受信部１４に通知する。      【００２５】
記憶部１７は、各システム毎に設定された終止電圧に関する情報を含む終止電圧情報を記録する。電池電圧検出部１９は、所定の周期で電池２１から電池電圧を検出し、この電池電圧に関する情報を含む電池電圧情報を電源制御部１６へ送出する。電源制御部１６は、終止電圧情報および電池電圧情報に基づいて、つまり終止電圧と電池電圧との高低を比較してその比較結果に基づいて、送受信部１２、１４および制御部１３、１５に電圧を供給する。【００２６】
次に本実施形態の無線通信装置１００が通話を行っている場合の動作に関して説明をする。図３は本発明の実施形態における無線通信装置１００の通話時の動作フロー図である。尚、ここでは、システムＡはＧＳＭを利用したシステム、システムＢはＵＭＴＳを利用したシステムであるものとする。また、記憶部１７は、あらかじめＧＳＭの終止電圧、ＵＭＴＳの終止電圧を記録している。また、はじめはＧＳＭを利用したシステムＡにおいて通信を行っているものとし、ＵＭＴＳを利用したシステムＢにおける通信は行われていない。【００２７】
まず、システムＡ送受信部１２は、システムＡ制御部１３の指示により、通話に際してアンテナ１１を介してＧＳＭネットワークを利用した通信を行う基地局（以下、ＧＳＭ基地局という）からの無線信号の受信およびＧＳＭ基地局への無線信号の送信を行っている（ステップＳ３０１）。ここでは、通話が行われているので、無線信号には音声データが含まれている。【００２８】
また、ＧＳＭを利用した通話中において、電池電圧検出部１９は所定の周期で電池２１の電池電圧情報を検出し、電源制御部１６へ送出している（ステップＳ３０２）。電源制御部１６は、電池電圧情報を受信すると、記憶部１７に記録されたＧＳＭの終止電圧情報を取得し、ＧＳＭの終止電圧と現時点における電源電圧との比較を行う（ステップ３０３）。【００２９】
ステップＳ３０３の比較の結果、現時点における電源電圧がＧＳＭの終止電圧よりも高い場合には、電源制御部１６は引き続きシステムＡにおいてＧＳＭを利用した通信を継続するようにシステムＡ制御部１３へ通知し、システムＡ送受信部１２は、システムＡ制御部１３の指示によりＧＳＭを利用した通信を継続する（ステップＳ３０４）。【００３０】
一方、ステップＳ３０３の比較の結果、現時点における電源電圧がＧＳＭの終止電圧以下である場合には、電源制御部１６はシステムＡにおけるＧＳＭを利用した通信を停止するようシステムＡ制御部１３へ通知し、システムＢにおけるＵＭＴＳを利用した通信を開始するようにシステムＢ制御部１５へ通知する。【００３１】
そしてシステムＡ送受信部１２は、システムＡ制御部１３の指示により、通話に際してアンテナ１１を介してＧＳＭ基地局からの無線信号の受信およびＧＳＭ基地局への無線信号の送信を停止する（ステップＳ３０５）。そしてシステムＢ送受信部１４は、システムＢ制御部１５の指示により、通話に際してアンテナ１１を介してＵＭＴＳネットワークを利用した通信を行う基地局（以下、ＵＭＴＳ基地局という）からの無線信号の受信およびＵＭＴＳ基地局への無線信号の送信を開始し（ステップＳ３０６）、処理が終了する。【００３２】
このように、通話中においてその通話に使用しているシステム（図３においてはＧＳＭ）が終止電圧となった場合、他のシステム（図３においてはＵＭＴＳ）が終止電圧になっておらずかつ通信可能な場合には、他のシステムへハンドオーバーすることが可能となる。【００３３】
次に本実施形態の無線通信装置１００が待ち受け状態にある場合について説明をする。図４は本発明の実施形態における無線通信装置１００の待ち受け時の動作フロー図である。尚、ここでは、システムＡはＧＳＭを利用したシステム、システムＢはＵＭＴＳを利用したシステムであるものとする。また、記憶部１７は、あらかじめＧＳＭの終止電圧、ＵＭＴＳの終止電圧を記録している。また、はじめはシステムＡ、システムＢはいずれもＧＳＭ基地局、ＵＭＴＳ基地局からの電波を一定の間隔で受信する間欠受信を行っているものとする。【００３４】
無線通信装置１００が待ち受け状態にある場合には、システムＡ、システムＢはいずれも間欠受信を行っている。つまり、システムＡ送受信部１２は、システムＡ制御部１３の指示により、間欠受信に際してアンテナ１１を介してＧＳＭ基地局との間で無線信号の通信を行っており、システムＢ送受信部１４は、システムＢ制御部１５の指示により、間欠受信に際してアンテナ１１を介してＵＭＴＳ基地局との間で無線信号の通信を行っている（ステップＳ４０１）。ここでは間欠受信が行われているので、無線信号には間欠受信を行うための制御信号が含まれている。【００３５】
また、ＧＳＭおよびＵＭＴＳを利用した間欠受信中において、電池電圧検出部１９は所定の周期で電池２１の電池電圧情報を検出し、電源制御部１６へ送出している（ステップＳ４０２）。電源制御部１６は、電池電圧情報を受信すると、記憶部１７に記録されたＧＳＭおよびＵＭＴＳの終止電圧情報を取得し、まずは２者のうち終止電圧の高いＧＳＭと現時点における電源電圧との比較を行う（ステップ４０３）。【００３６】
ステップＳ４０３の比較の結果、現時点における電源電圧がＧＳＭの終止電圧よりも高い場合には、電源制御部１６は引き続きＧＳＭを利用した間欠受信を継続するようにシステムＡ制御部１３へ通知し、電源制御部１６は引き続きＵＭＴＳを利用した間欠受信を継続するようにシステムＢ制御部１５へ通知する（ステップＳ４０４）。【００３７】
一方、ステップＳ４０３の比較の結果、現時点における電源電圧がＧＳＭの終止電圧以下である場合、続いてＵＭＴＳの終止電圧と現時点における電源電圧との比較を行う（ステップＳ４０５）。【００３８】
ステップＳ４０５の比較の結果、現時点における電源電圧がUMTSの終止電圧よりも高い場合には、電源制御部１６は引き続きＵＭＴＳを利用した間欠受信を継続するようにシステムＢ制御部１５へ通知し、ＧＳＭを利用した間欠受信は停止するようにシステムＡ制御部１３へ通知する。そしてシステムＡ送受信部１２は、システムＡ制御部１３の指示により、アンテナ１１を介したＧＳＭ基地局との間の無線信号の通信を終了し、間欠受信を停止する（ステップＳ４０６）。【００３９】
また、ステップＳ４０５の比較の結果、現時点における電源電圧がUMTSの終止電圧以下である場合には、電源制御部１６はＧＳＭを利用した間欠受信を停止するようにシステムＡ制御部１３へ通知し、ＵＭＴＳを利用した間欠受信を停止するようにシステムＢ制御部１５へ通知する。そして、システムＡ送受信部１２は、システムＡ制御部１３の指示により、アンテナ１１を介したＧＳＭ基地局との間の無線信号の通信を停止して間欠受信を停止し、システムＢ送受信部１４は、システムＢ制御部１５の指示により、アンテナ１１を介したＵＭＴＳ基地局との間の無線信号の通信を停止して間欠受信を停止し（ステップＳ４０７）、処理が終了する。【００４０】
このように、終止電圧になったシステム（図４においてはＧＳＭ）への電源供給を遮断し間欠受信動作を停止することで、無駄な電力消費を削減し、待ち時間を増加させることが可能である。【００４１】
本発明の実施形態における無線通信装置１００によれば、複数の通信方式を用いて通信可能な無線通信装置１００であって、ＧＳＭの通信方式を利用して無線信号の通信を行うシステムＡ送受信部１２、システムＡ制御部１３、およびＵＭＴＳの通信方式を利用して無線信号の通信を行うシステムＢ送受信部１４、システムＢ制御部１５を含む複数の通信部と、複数の通信方式毎に通信方式の終止電圧を記録する記憶部１７と、複数の通信部へ供給する電源の電圧を所定の周期で検出する電源電圧検出部１９と、電源電圧と前記通信方式毎の終止電圧とを比較し、比較の結果、電源電圧がＧＳＭ通信方式の終止電圧以下である場合にはシステムＡ送受信部１２、システムＡ制御部１３による通信を停止するよう制御し、電源電圧がＵＭＴＳの通信方式の終止電圧よりも大きい場合にはシステムＢ送受信部１４、システムＢ制御部１５による通信を継続するよう制御する電源制御部１６とを有する構成とすることで、システム毎に最適な終止電圧を設定することで電池を無駄なく使用することが可能となる。また、終止電圧になったシステムへの電源供給を遮断し間欠受信動作を停止することで、無駄な電力消費を削減し、待ち受け時間の増加をはかることが可能となる。更に通話中において終止電圧となった場合、他のシステムが終止電圧にはなっておらずかつ通信可能な場合には、他のシステムへハンドオーバーすることで通話を続けることが可能となる。【００４２】
なお、本発明では2つのシステムを持つ無線通信装置１００を例に説明を行ったが、3つ以上複数のシステムを持つ無線通信装置においても同様である。また、２つのシステムの一例としてＧＳＭ、ＵＭＴＳを挙げたが、これ以外のシステムであってもよい。
【産業上の利用可能性】
【００４３】
本発明は、複数のシステムを有する場合に、電池電圧への要求が最も低いシステムでも電池を使い切ることができる無線通信装置等に有用である。
【図１】
2007148391.tif 000003
【図２】
2007148391.tif 000004
【図３】
2007148391.tif 000005
【図４】
2007148391.tif 000006
【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
複数の通信方式を用いて通信可能な無線通信装置であって、
前記第１の通信方式を利用して無線信号の通信を行う第１の通信部および前記第２の通信方式を利用して無線信号の通信を行う第２の通信部を含む複数の通信部と、
前記複数の通信方式毎に前記通信方式の終止電圧を記録する記憶部と、
前記複数の通信部へ供給する電源の電圧を所定の周期で検出する電源電圧検出部と、
前記電源電圧と前記通信方式毎の終止電圧とを比較する比較部と、
前記比較部による比較の結果、前記電源電圧が前記第１の通信方式の終止電圧以下である場合には前記第１の通信部による通信を停止するよう制御し、前記電源電圧が前記第２の通信方式の終止電圧よりも大きい場合には前記第２の通信部による通信を継続するよう制御する電源制御部と
を有する無線通信装置。
【請求項２】
請求項１に記載の無線通信装置であって、
前記電源制御部は、
前記比較部による比較の結果、前記電源電圧が前記第１の通信方式の終止電圧以下であり、かつ前記電源電圧が前記第２の通信方式の終止電圧より大きい場合には、前記第１の通信部による通信から前記第２の通信部による通信へ切り替える無線通信装置。
【請求項３】
複数の通信方式を用いて通信可能な無線通信方法であって、
前記第１の通信方式を利用して無線信号の通信が行われる第１の通信ステップおよび前記第２の通信方式を利用して無線信号の通信が行われる第２の通信ステップを含む複数のステップと、
前記複数の通信方式毎に前記通信方式の終止電圧が記録されるステップと、
前記複数の通信部へ供給する電源の電圧が所定の周期で検出されるステップと、
前記電源電圧と前記通信方式毎の終止電圧とが比較される比較ステップと、
前記比較ステップにおける比較の結果、前記電源電圧が前記第１の通信方式の終止電圧以下である場合には前記第１の通信ステップにおける通信が停止されるよう制御され、前記電源電圧が前記第２の通信方式の終止電圧よりも大きい場合には前記第２の通信ステップにおける通信が継続されるよう制御される電源制御ステップと
を有する無線通信方法。
【請求項４】
請求項３に記載の無線通信方法であって、
前記電源制御ステップは、
前記比較ステップにおける比較の結果、前記電源電圧が前記第１の通信方式の終止電圧以下であり、かつ前記電源電圧が前記第２の通信方式の終止電圧より大きい場合には、前記第１の通信ステップにおける通信から前記第２の通信ステップによる通信へ切り替えられる無線通信方法。
【手続補正２】
【補正対象書類名】明細書
【補正対象項目名】全文
【補正方法】変更
【補正の内容】
【発明の詳細な説明】
【技術分野】
【０００１】
本発明は、複数の通信方式を用いて通信可能な無線通信装置および無線通信方法に関する。
【背景技術】
【０００２】
携帯電話を代表とする移動体通信システムにおいては、移動体通信の発展と共に様々な変調方式が存在しており、現在では利用者数の増大や利便性の向上ため複数の変調方式が利用できるマルチシステム端末の開発が進められている。例えば、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）ネットワークとＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワークに接続可能であり、ＧＳＭネットワークとＵＭＴＳネットワークをハンドオーバーするＵＭＴＳ／ＧＳＭデュアルモード端末がある。これらマルチモード端末の待ち受け・通話時間の向上に向けて、様々な方法が考案されている。
【０００３】
例えば、電池残量および通信速度に基づいて複数の通信システムの待ち受け時間の長短を判断して通信システムを適宜切り替える方法が提案されている。（例えば、特許文献１参照）。また、各基地局からの信号の電界強度を参照して、自身の送信にかかる消費電力が最も少なくて済む基地局を選択してハンドオーバーする方法が提案されている（例えば、特許文献２参照）。
【特許文献１】特開２００４−２３５８６３号公報
【特許文献２】特開２００４−２８９７５６号公報
【発明の開示】
【発明が解決しようとする課題】
【０００４】
しかしながら、従来の技術においては、各システムに必要とされる電池電圧に対する考慮がなされておらず、電池電圧への要求が高いシステムにおける終止電圧により端末の終止電圧が決定されていた。そのため、図２に示すように、電池電圧への要求が高いシステムAにより終止電圧を決定した場合、電池電圧への要求が低いシステムBにおいては電池を使い切れずに終了してしまうという事情があった。図２は一般的な電池の放電特性図である。
【０００５】
例えばＵＭＴＳとＧＳＭのデュアルモード端末を考えた場合、一般的にＧＳＭで使用されるＰｏｗｅｒ  Ａｍｐ（ＰＡ）の方がＵＭＴＳで使用されるＰＡよりも必要とされる電圧が高く、それ故ＧＳＭの終止電圧はＵＭＴＳに比べ高く設定される。従って、ＧＳＭを基に終止電圧を設定した場合、まだＵＭＴＳでは動作できるにも関わらず終止電圧となり電池を使い切れずに終了してしまうこととなる。
【０００６】
本発明は、上記事情を鑑みてなされたものであって、複数のシステムを有する場合に、電池電圧への要求が最も低いシステムでも電池を使い切ることができる無線通信装置、および無線通信方法を提供することを目的とする。
【課題を解決するための手段】
【０００７】
上記目的を達成するために、本発明の第１の無線通信装置は、複数の通信方式を用いて通信可能な無線通信装置であって、前記第１の通信方式を利用して無線信号の通信を行う第１の通信部および前記第２の通信方式を利用して無線信号の通信を行う第２の通信部を含む複数の通信部と、前記複数の通信方式毎に前記通信方式の終止電圧を記録する記憶部と、前記複数の通信部へ供給する電源の電圧を所定の周期で検出する電源電圧検出部と、前記電源電圧と前記通信方式毎の終止電圧とを比較する比較部と、前記比較部による比較の結果、前記電源電圧が前記第１の通信方式の終止電圧以下である場合には前記第１の通信部による通信を停止するよう制御し、前記電源電圧が前記第２の通信方式の終止電圧よりも大きい場合には前記第２の通信部による通信を継続するよう制御する電源制御部とを有する構成としている。
【０００８】
この構成により、電池電圧が終止電圧以下になったシステムへの電源供給を遮断し間欠受信動作を停止させることで待ち受け時間の増加をはかり、これにより電池電圧への要求が最も低いシステムでも電池を使い切ることが可能となる。
【０００９】
また、本発明の第２の無線通信装置は、前記電源制御部が、前記比較部による比較の結果、前記電源電圧が前記第１の通信方式の終止電圧以下であり、かつ前記電源電圧が前記第２の通信方式の終止電圧より大きい場合には、前記第１の通信部による通信から前記第２の通信部による通信へ切り替える構成としている。
【００１０】
この構成により、通話中に電池電圧が終止電圧以下になったシステムから他のシステムへと切り替えることで通話時間の増加をはかり、これにより電池電圧への要求が最も低いシステムでも電池を使い切ることが可能となる。
【００１１】
また、本発明の第１の無線通信方法は、複数の通信方式を用いて通信可能な無線通信方法であって、前記第１の通信方式を利用して無線信号の通信が行われる第１の通信ステップおよび前記第２の通信方式を利用して無線信号の通信が行われる第２の通信ステップを含む複数のステップと、前記複数の通信方式毎に前記通信方式の終止電圧が記録されるステップと、前記複数の通信部へ供給する電源の電圧が所定の周期で検出されるステップと、前記電源電圧と前記通信方式毎の終止電圧とが比較される比較ステップと、前記比較ステップにおける比較の結果、前記電源電圧が前記第１の通信方式の終止電圧以下である場合には前記第１の通信ステップにおける通信が停止されるよう制御され、前記電源電圧が前記第２の通信方式の終止電圧よりも大きい場合には前記第２の通信ステップにおける通信が継続されるよう制御される電源制御ステップとを有する方法としている。
【００１２】
この方法により、電池電圧が終止電圧以下になったシステムへの電源供給を遮断し間欠受信動作を停止させることで待ち受け時間の増加をはかり、これにより電池電圧への要求が最も低いシステムでも電池を使い切ることが可能となる。
【００１３】
また、本発明の第２の無線通信方法は、前記電源制御ステップが、前記比較ステップにおける比較の結果、前記電源電圧が前記第１の通信方式の終止電圧以下であり、かつ前記電源電圧が前記第２の通信方式の終止電圧より大きい場合には、前記第１の通信ステップにおける通信から前記第２の通信ステップによる通信へ切り替えられる方法としている。
【００１４】
この方法により、通話中に電池電圧が終止電圧以下になったシステムから他のシステムへと切り替えることで通話時間の増加をはかり、これにより電池電圧への要求が最も低いシステムでも電池を使い切ることが可能となる。
【発明の効果】
【００１５】
本発明によれば、複数のシステムを有する場合に、電池電圧への要求が最も低いシステムでも電池を使い切ることができる無線通信装置および無線通信方法を提供することができる。
【００１６】
また、システム毎に最適な終止電圧を設定し電池を無駄なく使用できる上に、終止電圧になったシステムへの電源供給を遮断することで低消費電力化をはかり待ち受け時間の増加をはかることができる。
【００１７】
また、通話中に終止電圧となった場合において、他のシステムが終止電圧にはなっておらずかつ通信可能な場合には、他のシステムへハンドオーバーすることで通話を続けることが可能となる。
【発明を実施するための最良の形態】
【００１８】
以下、図面を参照して本発明の実施形態を説明する。
【００１９】
（実施形態）
図1は、本発明の実施形態に係る無線通信装置１００の構成例を示したブロック図である。無線通信装置１００は例えば２つのシステムを有するデュアルモード端末を想定しており、アンテナ１１、システムＡ送受信部１２、システムＡ制御部１３、システムＢ送受信部１４、システムＢ制御部１５、電源制御部１６、記憶部１７、電池電圧検出部１９、および電池２１を有する。尚、本実施形態においては、複数のシステムは終止電圧の異なるものを想定している。
【００２０】
ここで、送受信部１２、１４および制御部１３、１５は複数の通信部の一部の一例である。電源制御部１６の一部は比較部、電源制御部の一例である。
【００２１】
システムＡ送受信部１２は、アンテナ１１を介して図示しない基地局からのシステムＡに対する無線信号の受信およびシステムＡから基地局に対する無線信号の送信を行う。システムＡ制御部１３は、システムＡ送受信部１２によって受信した無線信号の復調や送信信号の変調を行う。またシステムＡ制御部１３は電源制御部１６からの指示に基づいて、基地局とシステムＡ送受信部１２との間で通信を行うか否かをシステムＡ送受信部１２に通知する。
【００２２】
システムＢ送受信部１４は、アンテナ１１を介して基地局からのシステムＢに対する無線信号の受信およびシステムＢから基地局に対する無線信号の送信を行う。システムＢ制御部１５は、システムB送受信部１４によって受信した無線信号の復調や送信信号の変調を行う。またシステムＢ制御部１５は電源制御部１６からの指示に基づいて、基地局とシステムＢ送受信部１４との間で通信を行うか否かをシステムＢ送受信部１４に通知する。
【００２３】
記憶部１７は、各システム毎に設定された終止電圧に関する情報を含む終止電圧情報を記録する。電池電圧検出部１９は、所定の周期で電池２１から電池電圧を検出し、この電池電圧に関する情報を含む電池電圧情報を電源制御部１６へ送出する。電源制御部１６は、終止電圧情報および電池電圧情報に基づいて、つまり終止電圧と電池電圧との高低を比較してその比較結果に基づいて、送受信部１２、１４および制御部１３、１５に電圧を供給する。
【００２４】
次に本実施形態の無線通信装置１００が通話を行っている場合の動作に関して説明をする。図３は本発明の実施形態における無線通信装置１００の通話時の動作フロー図である。尚、ここでは、システムＡはＧＳＭを利用したシステム、システムＢはＵＭＴＳを利用したシステムであるものとする。また、記憶部１７は、あらかじめＧＳＭの終止電圧、ＵＭＴＳの終止電圧を記録している。また、はじめはＧＳＭを利用したシステムＡにおいて通信を行っているものとし、ＵＭＴＳを利用したシステムＢにおける通信は行われていない。
【００２５】
まず、システムＡ送受信部１２は、システムＡ制御部１３の指示により、通話に際してアンテナ１１を介してＧＳＭネットワークを利用した通信を行う基地局（以下、ＧＳＭ基地局という）からの無線信号の受信およびＧＳＭ基地局への無線信号の送信を行っている（ステップＳ３０１）。ここでは、通話が行われているので、無線信号には音声データが含まれている。
【００２６】
また、ＧＳＭを利用した通話中において、電池電圧検出部１９は所定の周期で電池２１の電池電圧情報を検出し、電源制御部１６へ送出している（ステップＳ３０２）。電源制御部１６は、電池電圧情報を受信すると、記憶部１７に記録されたＧＳＭの終止電圧情報を取得し、ＧＳＭの終止電圧と現時点における電源電圧との比較を行う（ステップ３０３）。
【００２７】
ステップＳ３０３の比較の結果、現時点における電源電圧がＧＳＭの終止電圧よりも高い場合には、電源制御部１６は引き続きシステムＡにおいてＧＳＭを利用した通信を継続するようにシステムＡ制御部１３へ通知し、システムＡ送受信部１２は、システムＡ制御部１３の指示によりＧＳＭを利用した通信を継続する（ステップＳ３０４）。
【００２８】
一方、ステップＳ３０３の比較の結果、現時点における電源電圧がＧＳＭの終止電圧以下である場合には、電源制御部１６はシステムＡにおけるＧＳＭを利用した通信を停止するようシステムＡ制御部１３へ通知し、システムＢにおけるＵＭＴＳを利用した通信を開始するようにシステムＢ制御部１５へ通知する。
【００２９】
そしてシステムＡ送受信部１２は、システムＡ制御部１３の指示により、通話に際してアンテナ１１を介してＧＳＭ基地局からの無線信号の受信およびＧＳＭ基地局への無線信号の送信を停止する（ステップＳ３０５）。そしてシステムＢ送受信部１４は、システムＢ制御部１５の指示により、通話に際してアンテナ１１を介してＵＭＴＳネットワークを利用した通信を行う基地局（以下、ＵＭＴＳ基地局という）からの無線信号の受信およびＵＭＴＳ基地局への無線信号の送信を開始し（ステップＳ３０６）、処理が終了する。
【００３０】
このように、通話中においてその通話に使用しているシステム（図３においてはＧＳＭ）が終止電圧となった場合、他のシステム（図３においてはＵＭＴＳ）が終止電圧になっておらずかつ通信可能な場合には、他のシステムへハンドオーバーすることが可能となる。
【００３１】
次に本実施形態の無線通信装置１００が待ち受け状態にある場合について説明をする。図４は本発明の実施形態における無線通信装置１００の待ち受け時の動作フロー図である。尚、ここでは、システムＡはＧＳＭを利用したシステム、システムＢはＵＭＴＳを利用したシステムであるものとする。また、記憶部１７は、あらかじめＧＳＭの終止電圧、ＵＭＴＳの終止電圧を記録している。また、はじめはシステムＡ、システムＢはいずれもＧＳＭ基地局、ＵＭＴＳ基地局からの電波を一定の間隔で受信する間欠受信を行っているものとする。
【００３２】
無線通信装置１００が待ち受け状態にある場合には、システムＡ、システムＢはいずれも間欠受信を行っている。つまり、システムＡ送受信部１２は、システムＡ制御部１３の指示により、間欠受信に際してアンテナ１１を介してＧＳＭ基地局との間で無線信号の通信を行っており、システムＢ送受信部１４は、システムＢ制御部１５の指示により、間欠受信に際してアンテナ１１を介してＵＭＴＳ基地局との間で無線信号の通信を行っている（ステップＳ４０１）。ここでは間欠受信が行われているので、無線信号には間欠受信を行うための制御信号が含まれている。
【００３３】
また、ＧＳＭおよびＵＭＴＳを利用した間欠受信中において、電池電圧検出部１９は所定の周期で電池２１の電池電圧情報を検出し、電源制御部１６へ送出している（ステップＳ４０２）。電源制御部１６は、電池電圧情報を受信すると、記憶部１７に記録されたＧＳＭおよびＵＭＴＳの終止電圧情報を取得し、まずは２者のうち終止電圧の高いＧＳＭと現時点における電源電圧との比較を行う（ステップ４０３）。
【００３４】
ステップＳ４０３の比較の結果、現時点における電源電圧がＧＳＭの終止電圧よりも高い場合には、電源制御部１６は引き続きＧＳＭを利用した間欠受信を継続するようにシステムＡ制御部１３へ通知し、電源制御部１６は引き続きＵＭＴＳを利用した間欠受信を継続するようにシステムＢ制御部１５へ通知する（ステップＳ４０４）。
【００３５】
一方、ステップＳ４０３の比較の結果、現時点における電源電圧がＧＳＭの終止電圧以下である場合、続いてＵＭＴＳの終止電圧と現時点における電源電圧との比較を行う（ステップＳ４０５）。
【００３６】
ステップＳ４０５の比較の結果、現時点における電源電圧がUMTSの終止電圧よりも高い場合には、電源制御部１６は引き続きＵＭＴＳを利用した間欠受信を継続するようにシステムＢ制御部１５へ通知し、ＧＳＭを利用した間欠受信は停止するようにシステムＡ制御部１３へ通知する。そしてシステムＡ送受信部１２は、システムＡ制御部１３の指示により、アンテナ１１を介したＧＳＭ基地局との間の無線信号の通信を終了し、間欠受信を停止する（ステップＳ４０６）。
【００３７】
また、ステップＳ４０５の比較の結果、現時点における電源電圧がUMTSの終止電圧以下である場合には、電源制御部１６はＧＳＭを利用した間欠受信を停止するようにシステムＡ制御部１３へ通知し、ＵＭＴＳを利用した間欠受信を停止するようにシステムＢ制御部１５へ通知する。そして、システムＡ送受信部１２は、システムＡ制御部１３の指示により、アンテナ１１を介したＧＳＭ基地局との間の無線信号の通信を停止して間欠受信を停止し、システムＢ送受信部１４は、システムＢ制御部１５の指示により、アンテナ１１を介したＵＭＴＳ基地局との間の無線信号の通信を停止して間欠受信を停止し（ステップＳ４０７）、処理が終了する。
【００３８】
このように、終止電圧になったシステム（図４においてはＧＳＭ）への電源供給を遮断し間欠受信動作を停止することで、無駄な電力消費を削減し、待ち時間を増加させることが可能である。
【００３９】
本発明の実施形態における無線通信装置１００によれば、複数の通信方式を用いて通信可能な無線通信装置１００であって、ＧＳＭの通信方式を利用して無線信号の通信を行うシステムＡ送受信部１２、システムＡ制御部１３、およびＵＭＴＳの通信方式を利用して無線信号の通信を行うシステムＢ送受信部１４、システムＢ制御部１５を含む複数の通信部と、複数の通信方式毎に通信方式の終止電圧を記録する記憶部１７と、複数の通信部へ供給する電源の電圧を所定の周期で検出する電源電圧検出部１９と、電源電圧と前記通信方式毎の終止電圧とを比較し、比較の結果、電源電圧がＧＳＭ通信方式の終止電圧以下である場合にはシステムＡ送受信部１２、システムＡ制御部１３による通信を停止するよう制御し、電源電圧がＵＭＴＳの通信方式の終止電圧よりも大きい場合にはシステムＢ送受信部１４、システムＢ制御部１５による通信を継続するよう制御する電源制御部１６とを有する構成とすることで、システム毎に最適な終止電圧を設定することで電池を無駄なく使用することが可能となる。また、終止電圧になったシステムへの電源供給を遮断し間欠受信動作を停止することで、無駄な電力消費を削減し、待ち受け時間の増加をはかることが可能となる。更に通話中において終止電圧となった場合、他のシステムが終止電圧にはなっておらずかつ通信可能な場合には、他のシステムへハンドオーバーすることで通話を続けることが可能となる。
【００４０】
なお、本発明では2つのシステムを持つ無線通信装置１００を例に説明を行ったが、3つ以上複数のシステムを持つ無線通信装置においても同様である。また、２つのシステムの一例としてＧＳＭ、ＵＭＴＳを挙げたが、これ以外のシステムであってもよい。
【産業上の利用可能性】
【００４１】
本発明は、複数のシステムを有する場合に、電池電圧への要求が最も低いシステムでも電池を使い切ることができる無線通信装置等に有用である。
【図面の簡単な説明】
【００４２】
【図１】本発明の実施形態における無線通信装置を示すブロック図
【図２】一般的な電池の放電特性例
【図３】本発明の実施形態における無線通信装置の通話時の動作フロー図
【図４】本発明の実施形態における無線通信装置の待ち受け時の動作フロー図
【符号の説明】
【００４３】
１００  無線通信装置
１１  アンテナ
１２  システムA送受信部
１３  システムA制御部
１４  システムB送受信部
１５  システムB制御部
１６  電源制御部
１７  記憶部
１９  電池電圧検出部
２１  電池
【手続補正３】
【補正対象書類名】図面
【補正対象項目名】全図
【補正方法】変更
【補正の内容】
【図１】
2007148391.tif 000007
【図２】
2007148391.tif 000008
【図３】
2007148391.tif 000009
【図４】
2007148391.tif 000010
【国際調査報告】
2007148391.tif 000011
2007148391.tif 000012
2007148391.tif 000013
2007148391.tif 000014